(57)【特許請求の範囲】
【請求項１】
レコーダが一体構成の撮像装置に対して取材指示データが入力され、不揮発性メモリおよび記録メディアに上記取材指示データが記録される取材指示データ入力ステップと、
ファイル単位で撮像データを取得する記録ステップと、
上記ファイルに対するファイル名を付与する方法として、標準名がファイル名として付与される第１の方法と、ユーザにより入力されたタイトルがファイル名として付与される第２の方法と、上記取材指示データのタイトル情報に基づくファイル名が付与される第３の方法とが設定可能とされ、
上記第１の方法が設定されている場合は、上記記録メディアに記録される上記ファイルに対するファイル名が上記標準名に命名され、上記第２の方法が設定されている場合は、上記記録メディアに記録される上記ファイルに対するファイル名が、上記ユーザが入力したタイトルに命名され、上記第３の方法が設定されている場合において、上記取材指示データにタイトル情報が有る場合は、上記記録メディアに記録される上記ファイルに対するファイル名が上記タイトル情報に基づき自動的に命名され、
命名された上記ファイル名が上記不揮発性メモリおよび記録メディアに記録され、
上記第３の方法が設定されている場合において、上記取材指示データにタイトル情報が無い場合は、上記ファイル名が標準名に命名されて上記不揮発性メモリおよび記録メディアに記録されるステップと
からなる撮像データ管理方法。
【請求項２】
上記取材指示データがＵＳＢメモリまたはディスク経由で撮像装置に対して入力される請求項１記載の撮像データ管理方法。
【請求項３】
上記取材指示データが無線通信によって撮像装置に対して入力される請求項１記載の撮像データ管理方法。
【請求項４】
さらに、次に収録するファイルに対するファイル名をビューファインダに表示する請求項１記載の撮像データ管理方法。
【請求項５】
上記ファイル名がタイトル名と記録の度に１づつ変化する連続番号とからなる請求項１記載の撮像データ管理方法。
【請求項６】
撮像装置の電源のオン時に、次に設定される上記取材指示内容を上記不揮発性メモリから取得し、自動的に制御部に対してロードする請求項１記載の撮像データ管理方法。
【請求項７】
さらに、上記取材指示データに対して記録されたファイルの識別子を追記する請求項１記載の撮像データ管理方法。
【請求項８】
撮像部と、
上記撮像部からの撮像信号に対して信号処理を行う信号処理部と、
ビューファインダと、
記録メディアとのメディアインターフェース部と、
コンピュータ、不揮発性メモリおよびメモリを有する制御部と、
上記制御部に対して接続される操作部と、上記記録メディアに記録されるファイルに対するファイル名を付与する方法として、標準名が付与される第１の方法と、ユーザにより入力されたタイトルがファイル名として付与される第２の方法と、上記取材指示データのタイトル情報に基づくファイル名が付与される第３の方法とを設定可能な表示部および入力インターフェース部とを備え、
上記制御部は、上記メディアインターフェース部および上記入力インターフェース部の少なくとも一方を制御して取材指示データを取得し、
上記制御部は、上記不揮発性メモリおよび上記記録メディアに上記取材指示データを記録し、
上記制御部は、上記第１の方法が設定されている場合は、上記記録メディアに記録される上記ファイルに対するファイル名を上記標準名に命名し、上記第２の方法が設定されている場合は、上記記録メディアに記録される上記ファイルに対するファイル名を、上記ユーザが入力したタイトルに命名し、上記第３の方法が設定されている場合において、上記取材指示データにタイトル情報が有る場合は、上記記録メディアに記録されるファイルに対するファイル名を上記タイトル情報に基づき自動的に命名し、
命名された上記ファイル名を上記不揮発性メモリおよび記録メディアに記録し、
上記第３の方法が設定されている場合において、上記取材指示データにタイトル情報が無い場合は、上記ファイル名を標準名に命名して上記不揮発性メモリおよび記録メディアに記録する
撮像装置。
【発明の詳細な説明】
【技術分野】
【０００１】
この発明は、光ディスク等のメディアに対して撮像データを記録するレコーダ一体型のビデオカメラに対して適用される撮像データ管理方法および撮像装置に関する。
【背景技術】
【０００２】
放送局が例えばニュース番組を制作する場合、どのようなニュースを取材するかの計画が立てられる。この計画に基づいて、カメラオペレータがレコーダ一体型のビデオカメラ（以下、カムコーダと適宜省略する）によって撮像を行う取材がなされる。取材で収集された素材が素材記録サーバに蓄積される。そして、取材計画に基づいて蓄積されている素材が編集されて最終的に放送されるニュース番組映像が作成される。
【０００３】
取材を行うカメラオペレータに対して取材指示を行うために、下記の特許文献１には、取材指示のメタデータを放送局から撮像場所に移動する撮像装置に対して無線通信により送信し、撮像装置がメタデータを映像データおよび音声データと共に記録媒体に記録することが記載されている。
【０００４】
【特許文献１】再公表特許  ＷＯ０１／０６００５９
【発明の開示】
【発明が解決しようとする課題】
【０００５】
特許文献１に記載されている撮像装置では、計画段階で作成されたメタデータが撮像装置の記憶装置に記録し、映像を記録する際に、映像データおよび音声データと共に記録媒体に記録されている。しかしながら、特許文献１において記載されている記録媒体は、テープ状媒体であって、シーケンシャルな記録を行うものであった。最近では、ランダムアクセス可能な記録媒体例えばディスク状記録媒体を使用し、予め規定されたファイル構造を有するように、映像データを記録するカムコーダが実用化されている。ファイルは、撮像時のシーン、カット等に対応しており、ファイルを集合として番組が作成される。この場合では、特許文献１に記載のものより細かいファイル単位でもって取材指示との関連付けを行えることが必要とされる。
【０００６】
さらに、取材現場の事情を考慮すると、取材指示を受けるタイミングに柔軟性があることが望まれる。例えば撮像直前に限らず、前もって取材指示を受けることができる。さらに、取材指示受信後に電源オフに影響されず、さらに、取材指示情報をカムコーダにロードした後に電源をオフしても、電源オン後に直ちに取材指示に基づく収録を行えることが望まれる。
【０００７】
したがって、この発明の目的は、ファイル単位でもって自動的に取材指示内容との関連付けを行うことができ、さらに、取材指示を受けるタイミングが直前に限定されない撮像データ管理方法および撮像装置を提供することにある。
【課題を解決するための手段】
【０００８】
上述した課題を解決するために、この発明は、レコーダが一体構成の撮像装置に対して取材指示データが入力され、不揮発性メモリおよび記録メディアに取材指示データが記録される取材指示データ入力ステップと、
ファイル単位で撮像データを取得する記録ステップと、
ファイルに対するファイル名を付与する方法として、標準名がファイル名として付与される第１の方法と、ユーザにより入力されたタイトルがファイル名として付与される第２の方法と、取材指示データのタイトル情報に基づくファイル名が付与される第３の方法とが設定可能とされ、
第１の方法が設定されている場合は、記録メディアに記録されるファイルに対するファイル名が標準名に命名され、第２の方法が設定されている場合は、記録メディアに記録されるファイルに対するファイル名が、ユーザが入力したタイトルに命名され、第３の方法が設定されている場合において、取材指示データにタイトル情報が有る場合は、記録メディアに記録されるファイルに対するファイル名がタイトル情報に基づき自動的に命名され、
命名されたファイル名が不揮発性メモリおよび記録メディアに記録され、
第３の方法が設定されている場合において、取材指示データにタイトル情報が無い場合は、ファイル名が標準名に命名されて不揮発性メモリおよび記録メディアに記録されるステップと
からなる撮像データ管理方法である。
【０００９】
取材指示データがＵＳＢメモリまたはディスク経由で撮像装置に対して入力される。
【００１０】
取材指示データが無線通信によって撮像装置に対して入力される。
【００１１】
さらに、次に収録するファイルに対するファイル名がビューファインダに表示される。
【００１２】
ファイル名がタイトル名と記録の度に１づつ変化する連続番号とからなる。
【００１３】
撮像装置の電源のオン時に、次に設定される取材指示内容を不揮発性メモリから取得し、自動的に制御部に対してロードする。
【００１４】
さらに、取材指示データに対して記録されたファイルの識別子を追記する。
【００１５】
また、この発明は、撮像部と、
撮像部からの撮像信号に対して信号処理を行う信号処理部と、
ビューファインダと、
記録メディアとのメディアインターフェース部と、
コンピュータ、不揮発性メモリおよびメモリを有する制御部と、
制御部に対して接続される操作部と、記録メディアに記録されるファイルに対するファイル名を付与する方法として、標準名が付与される第１の方法と、ユーザにより入力されたタイトルがファイル名として付与される第２の方法と、取材指示データのタイトル情報に基づくファイル名が付与される第３の方法とを設定可能な表示部および入力インターフェース部とを備え、
制御部は、メディアインターフェース部および入力インターフェース部の少なくとも一方を制御して取材指示データを取得し、
制御部は、不揮発性メモリおよび記録メディアに取材指示データを記録し、
制御部は、第１の方法が設定されている場合は、記録メディアに記録されるファイルに対するファイル名を標準名に命名し、第２の方法が設定されている場合は、記録メディアに記録されるファイルに対するファイル名を、ユーザが入力したタイトルに命名し、第３の方法が設定されている場合において、取材指示データにタイトル情報が有る場合は、記録メディアに記録されるファイルに対するファイル名をタイトル情報に基づき自動的に命名し、
命名されたファイル名を不揮発性メモリおよび記録メディアに記録し、
第３の方法が設定されている場合において、取材指示データにタイトル情報が無い場合は、ファイル名を標準名に命名して不揮発性メモリおよび記録メディアに記録する
撮像装置である。
【発明の効果】
【００１６】
この発明によれば、取材指示データに含まれるタイトル情報に基づいて収録されるファイルに対するファイル名が自動的に生成される。したがって、撮像から放送局素材サーバへの取込み処理までの作業を効率化することができる。
【発明を実施するための最良の形態】
【００１７】
以下、この発明の実施の形態について図面を参照しながら説明する。なお、以下に説明する実施の形態は、この発明の好適な具体例であり、技術的に好ましい種々の限定が付されているが、この発明の範囲は、以下の説明において、特にこの発明を限定する旨の記載がない限り、実施の形態に限定されないものとする。
【００１８】
この発明は、レコーダが一体構成の撮像装置に対して取材指示データが入力され、不揮発性メモリおよび記録メディアに取材指示データが記録される取材指示データ入力ステップ（図３に示す無線ＬＡＮ経由の入力、図５に示すＵＳＢメモリ経由の入力、図６に示すディスク経由の入力）と、
ファイル単位で撮像データを取得する記録ステップ（図１１に示す記録処理）と、
記録メディアに記録されるファイルに対するファイル名が取材指示データに含まれるタイトル情報に基づき自動的に命名され、命名されたファイル名が不揮発性メモリおよび記録メディアに記録されるステップ（図１１におけるステップＳ９３〜Ｓ９６、並びに図１２におけるステップＳ１０４、Ｓ１０５）と
からなる撮像データ管理方法である。
【００１９】
この発明は、撮像部（カメラブロック１）と、
撮像部からの撮像信号に対して信号処理を行う信号処理部２と、
ビューファインダ３と、
記録メディアとのメディアインターフェース部（ディスクドライブ４）と、
コンピュータ６、不揮発性メモリ９およびメモリ８を有する制御部５と、
制御部５に対して接続される操作部、表示部および入力インターフェース部（操作パネルおよび液晶表示部１０、ＵＳＢインターフェース１１、無線ＬＡＮインターフェース１２）とを備え、
制御部５は、メディアインターフェース部および入力インターフェース部の少なくとも一方を制御して取材指示データを取得し、
制御部５は、不揮発性メモリ９および記録メディア（ディスク）に取材指示データを記録し、
制御部５は、記録メディアに記録されるファイルに対するファイル名を取材指示データに含まれるタイトル情報に基づき自動的に命名し、命名されたファイル名を不揮発性メモリ９および記録メディア（ディスク）に記録する
撮像装置である。
例えば制御部５のＤＲＡＭ８から不揮発性メモリ９へ取材指示データおよび命名されたファイル名が伝達されて不揮発性メモリ９へ記録され、ＤＲＡＭ８から記録メディア（ディスク）へ取材指示データおよび命名されたファイル名が伝達されて記録メディア（ディスク）へ記録される。
【００２０】
この発明の一実施の形態について、図１を参照して概略的に説明する。放送局１０１において、例えばニュース番組の取材計画が策定され、取材指示が作成される。取材指示が収録を行うカムコーダに対して入力される。入力方法として３種類の方法が可能とされている。
【００２１】
第１の方法は、放送局１０１からネットワーク１０３を介して電子メールに添付した取材指示データ（取材指示の内容を表しているので、以下の記載において取材指示内容と表記する場合もある）をスマートフォン１０４に対して送信する。スマートフォン１０４が取材指示データを受信し、無線ＬＡＮ(Local Area Network)経由でカムコーダ１０２に対してスマートフォン１０４が取材指示データを送信する。
【００２２】
第２の方法は、ＵＳＢ(Universal Serial Bus)メモリ１０５を介して取材指示データを放送局１０１がカムコーダ１０２に入力する方法である。第３の方法は、ディスク１０６を介して取材指示データを放送局１０１がカムコーダ１０２に入力する方法である。ＵＳＢメモリ１０５およびディスク１０６に対しては、放送局１０１において、予め取材指示データが書き込まれている。
【００２３】
カムコーダ１０２は、例えばディスクを記録媒体として使用し、取材指示データが書き込まれるディスク１０６に対して映像音声データが収録される。ディスク１０６は、カートリッジ内に相変化記録型の光ディスクが配され、シャッターを有するものである。４０５ｎｍの波長のレーザが使用され、単層光ディスクの場合で２３．３ＧＢで、２層光ディスクの場合で５０ＧＢの容量を有する。
【００２４】
ディスク１０６には、例えばＭＰＥＧ２(Moving Picture Experts Group2)により圧縮
された高解像度映像音声データが記録される。さらに、ディスク１０６には、日付、時刻、各種コメント等の収録映像の付加情報や、オフライン編集用に活用可能なプロキシＡＶ(Audio Visual）データ（低ビットレート映像データ）がメタデータとして記録される。
取材指示データは、メタデータの一つとしてディスク１０６に記録される。ディスク１０６に対する記録は、ファイル単位で行われる。ファイルは、シーン、カット等に対応した高解像度映像音声データであり、クリップと称される。番組は、クリップの集合体である。ファイルの形式としては、種々のものを使用できる。
【００２５】
取材指示データには、取材指示のタイトルが含まれている。カムコーダ１０２は、収録したクリップに対して、クリップ名（ファイル名）を付加する。ファイル名の付け方として例えば３種類の方法が提供され、ユーザがその一つの方法を設定する。すなわち、ファイル名として標準的な名前を与える方法、ユーザが入力したタイトルを与える方法、取材指示のタイトルを反映したファイル名を付与する方法の何れかが予め設定される。取材指示のタイトルに基づいてファイル名を与えることによって、後の編集工程を効率的に行うことが可能となる。
【００２６】
図２を参照してカムコーダ１０２の構成について説明する。カメラブロック１には、撮像素子、撮像素子駆動回路、レンズ系、Ａ／Ｄコンバータ等が含まれる。カメラブロック１からの撮像データが信号処理部２に供給される。信号処理部２において、撮像データに対して、圧縮符号化、エラー訂正符号化、フォーマット化等の信号処理が施される。さらに、ディスクから再生されたデータに対してフォーマット分解、エラー訂正符号の復号、圧縮符号化の復号等の処理がなされる。
【００２７】
信号処理部２に対して接続されたビューファインダ３には、撮像画像が表示される。信号処理部２に対してディスクドライブ４が接続される。ディスクドライブ４によって光学ディスクに対してデータが記録され、また、ディスクから読み込まれたデータが信号処理部２に供給される。
【００２８】
カメラブロック１、信号処理ブロック２、ディスクドライブ４を制御するための制御部５が設けられている。制御部５は、カムコーダを全体的に制御するＣＰＵ(Central Processing Unit)６が設けられる。ＣＰＵ６に対して、フラッシュメモリ７、ＤＲＡＭ(Dynamic Random Access Memory)８および不揮発性メモリ９が接続される。ＤＲＡＭ８および不
揮発性メモリ９は、ＣＰＵ６の制御の下で、必要なデータを記憶する。例えば取材指示データ中および命名されたファイル名が記憶される。
【００２９】
さらに、制御部５に対して操作パネルおよび液晶表示部１０が接続され、ユーザの操作の情報が制御部５に供給され、制御部５からの情報が液晶パネルに表示可能とされている。制御部５に対してＵＳＢメモリインターフェース１１および無線ＬＡＮインターフェース１２がそれぞれ接続されている。
【００３０】
取材指示データは、メタデータの一つであり、上述したカムコーダの制御部５が解釈可能な形式を有する。例えば取材指示データは、ＸＭＬ(eXtensible Markup Language)形式のファイルとされている。
【００３１】
〔取材指示ファイルのカムコーダに対する入力〕
取材指示ファイルをカムコーダに入力する入力方法としては、３通りの方法が可能とされている。取材指示ファイル中に取材指示データが記述されている。第１の方法は、スマートフォンを使用して無線ＬＡＮ経由でカムコーダに対して取材指示ファイルを転送する方法である。スマートフォンとは、通話機能のみならず、コンピュータとしての機能をも有する携帯電話である。放送局から取材指示が電子メールに添付されてスマートフォンに対して送信される。スマートフォンでは、取材指示メールを受信し、取材指示内容を確認する。そして、無線ＬＡＮ経由でカムコーダに対して取材指示ファイルが転送される。
【００３２】
なお、電子メールを受信し、受信した取材指示ファイルをカムコーダに無線ＬＡＮを経由して転送できる機能を有する電子機器であれば、スマートフォンに限らず、ＰＤＡ、携帯型パーソナルコンピュータ等を使用しても良い。
【００３３】
第２の方法は、ＵＳＢメモリ経由で取材指示ファイルをカムコーダに入力する方法である。放送局にて取材指示ファイルをＵＳＢメモリに書き込む。このＵＳＢメモリをカムコーダに対して装着する。カムコーダがＵＳＢメモリに格納されている取材指示ファイルを取り込む。ＵＳＢメモリに代えてメモリカードを使用しても良い。
【００３４】
第３の方法は、ディスク経由の方法である。放送局において、取材指示ファイルをディスクにメタデータとして書き込む。このディスクは、カムコーダが取材時に使用するものと同一のものである。このディスクがカムコーダに挿入される。ディスクに格納されている取材指示ファイルがカムコーダに取り込まれる。
【００３５】
図３を参照して、スマートフォンを使用して無線ＬＡＮ経由でカムコーダに対して取材指示ファイルを入力する方法についてより詳細に説明する。なお、以下のフローチャートで説明される処理は、カムコーダ内の制御部のＣＰＵの制御の下でなされる。ステップＳ１において、スマートフォンとカムコーダとの無線ＬＡＮの接続確立がなされる。ステップＳ２において、接続が確立（ＯＫ）されたか否かが判定される。若し、接続が確立されない場合には、処理が中止される（ステップＳ３）。
【００３６】
接続が確立されたとステップＳ２において判定されると、ステップＳ４において、スマートフォンからカムコーダへ取材指示ファイルが転送される。カムコーダでは、受信した取材指示ファイルが取材のために装着されているディスクに書き込まれる。ステップＳ５において、取材指示ファイルの転送が完了したか否かが判定され、転送が完了するまで、データが転送される。
【００３７】
ステップＳ５において、転送が完了したと判定されると、ステップＳ６において、スマートフォンとカムコーダとの無線接続が切断される。
【００３８】
カムコーダでは、取材指示ファイルの内容がチェックされる（ステップＳ７）。すなわち、カムコーダの制御部において、受信した取材指示ファイルのデータの内容を解析し、正常か否かが調べられる。チェックの結果が正しい（ＯＫ）か否かがステップＳ８において判定される。若し、チェックの結果が正しくない（ＮＧ）であれば、ステップＳ９において、受信データがＮＧであることが液晶表示部に表示されて、処理が終了する。
【００３９】
ステップＳ８の判定結果が正しいものであると、ステップＳ１０において、受信した取材指示ファイルが不揮発性メモリに保存される。この場合、不揮発性メモリの容量の制約から取材指示ファイルの一部が保存されるようにしても良い。但し、ディスクに対しては、取材指示ファイルが全てメタデータとして書かれる。そして、ステップＳ１１において、取材指示ファイル入力が完了したことが液晶表示部に表示される。
【００４０】
ステップＳ１２において、受信した取材指示ファイルに基づき、次に撮影するクリップの名前が設定される。この場合、クリップ名に含まれる「３桁数値」の初期値（００１）を不揮発性メモリに保存する。ステップＳ１３において、設定した次に撮影するクリップの名前がビューファインダーに表示される。以上で処理が終了する。
【００４１】
ステップＳ１３では、一例として、図４に示すように、カムコーダのビューファインダー５１にクリップ名５２として「Interview 050 」が表示される。
【００４２】
図５を参照して、ＵＳＢメモリ経由で取材指示ファイルをカムコーダに入力する方法についてより詳細に説明する。ステップＳ２１において、放送局にて取材指示ファイルが書き込まれたＵＳＢメモリがカムコーダに対して装着される。ステップＳ２２において、読み取った取材指示ファイルをディスクに書き込むために、カムコーダに対してディスクが挿入される。
【００４３】
ステップＳ２３において、操作パネルが操作され、ＵＳＢメモリからの取材指示ファイルの読み取りモードが設定される。
【００４４】
ステップＳ２４において、液晶表示部にＵＳＢメモリ上のファイル名が表示される。ステップＳ２５において、操作パネルが操作され、読み込む取材指示ファイルが選択される。
【００４５】
ステップＳ２６において、選択された取材指示ファイルがＵＳＢメモリより読み込まれる。ステップＳ２７において、読み込んだ取材指示ファイルの内容がチェックされる。すなわち、カムコーダの制御部において、読み込んだ取材指示ファイルのデータの内容を解析し、正常か否かが調べられる。
【００４６】
チェックの結果が正しい（ＯＫ）か否かがステップＳ２８において判定される。若し、チェックの結果が正しくない（ＮＧ）であれば、ステップＳ２９において、読み込んだデータがＮＧであることを液晶表示部に表示して、処理が終了する。
【００４７】
ステップＳ２８の判定結果が正しいものであると、ステップＳ３０において、読み込んだ取材指示ファイルがディスクに書き込まれる。ステップＳ３１において、読み込んだ取材指示ファイルが不揮発性メモリに保存される。この場合、不揮発性メモリの容量の制約から取材指示ファイルの一部が保存されるようにしても良い。但し、ディスクに対しては、取材指示ファイルが全て書かれる。
【００４８】
ステップＳ３２において、読み込んだ取材指示データに基づき、次に撮影するクリップの名前が設定される。この場合、クリップ名に含まれる「３桁数値」の初期値（００１）を不揮発性メモリに保存する。ステップＳ３３において、設定した次に撮影するクリップの名前がビューファインダーに表示される。以上で処理が終了する。
【００４９】
図６を参照して、ディスク経由で取材指示ファイルをカムコーダに入力する方法についてより詳細に説明する。ステップＳ４１において、放送局にて取材指示ファイルが書き込まれたディスクがカムコーダに対して挿入される。
【００５０】
ステップＳ４２において、操作パネルが操作され、ディスクからの取材指示ファイルの読み取りモードが設定される。
【００５１】
ステップＳ４３において、液晶表示部にディスク上のファイル名が表示される。ステップＳ４４において、操作パネルが操作され、読み込む取材指示ファイルが選択される。
【００５２】
ステップＳ４５において、選択された取材指示ファイルがディスクより読み込まれる。ステップＳ４６において、読み込んだ取材指示ファイルの内容がチェックされる。すなわち、カムコーダの制御部において、読み込んだ取材指示ファイルのデータの内容を解析し、正常か否かが調べられる。
【００５３】
チェックの結果が正しい（ＯＫ）か否かがステップＳ４７において判定される。若し、チェックの結果が正しくない（ＮＧ）であれば、ステップＳ４８において、読み込んだデータがＮＧであることを液晶表示部に表示して、処理が終了する。
【００５４】
ステップＳ４７の判定結果が正しいものであると、ステップＳ４９において、読み込んだ取材指示データが不揮発性メモリに保存される。この場合、不揮発性メモリの容量の制約から取材指示ファイルの一部が保存されるようにしても良い。但し、ディスクに対しては、取材指示ファイルが全て書かれる。
【００５５】
ステップＳ５０において、読み込んだ取材指示データに基づき、次に撮影するクリップの名前が設定される。この場合、クリップ名に含まれる「３桁数値」の初期値（００１）を不揮発性メモリに保存する。ステップＳ５１において、設定した次に撮影するクリップの名前がビューファインダーに表示される。以上で処理が終了する。
【００５６】
〔入力された取材指示内容の確認〕
上述した３種類の方法の何れかによって入力された取材指示ファイルの内容は、カムコーダの液晶表示部に表示して確認することが可能とされている。図７のステップＳ６１に示すように、カムコーダの操作パネルが操作されて取材指示内容の表示モードが設定される。ステップＳ６２において、液晶表示部に取材指示内容が表示される。
【００５７】
図８に示すように、取材指示内容の一例が液晶表示部５１に表示される。取材指示内容には、「指示ＩＤ」「指示作成日時」「指示更新日時」「指示者」「タイトル（英語）」「タイトル（日本語）」「取材場所」「取材日」「収録済みクリップ数」の項目が含まれている。
【００５８】
〔電源投入時の取材指示内容の自動的ロード〕
上述したように、取材指示内容を入力した後、カムコーダの電源をオフしても、次の電源オン時に、先に入力した取材指示内容を自動的にカムコーダの制御部のＤＲＡＭ（図２参照）へロードする。これによって、取材指示の入力を前もって行っておくことができ、直ぐに収録を行うことができる。
【００５９】
図９に示すように、ステップＳ７１において、カムコーダの電源がオンとされる。ステップＳ７２において、取材指示内容およびファイル名に含まれている「３桁数値」の値が不揮発性メモリから読み込まれる。
【００６０】
ステップＳ７３において、読み込んだ内容に基づき次に撮影するクリップ名が設定される。ステップＳ７４において、次に撮影するクリップ名がビューファインダに表示される。
【００６１】
さらに、上述した自動的ロードの処理がなされた後に、ディスクがカムコーダに挿入されている場合には、ディスク内の取材指示ファイルを自動的に制御部のメモリへロードする動作がなされる。上述したように、不揮発性メモリの容量は、制約されており、取材指示ファイルの情報の一部しか格納していない場合がある。そのため、ディスク上に同一のファイルが存在してる場合には、全ての情報を含むディスク上のファイルの内容が読み取られるようになされる。
【００６２】
図１０に示すように、ステップＳ８１において、ディスク中に不揮発性メモリに記憶されているものと同一のファイル名の取材指示ファイルが有るか否かが判定される。取材指示ファイルが無いと判定されると、処理が終了する。
【００６３】
ステップＳ８１において、取材指示ファイルが有ると判定されると、ステップＳ８２において、取材指示内容がディスクから読み込まれる。ステップＳ８３において、読み込んだ取材指示内容およびファイル名に含まれる３桁数値の値を不揮発性メモリに反映する。
【００６４】
ステップＳ８４において、読み込んだ内容に基づいて次に撮影するクリップ名が設定される。ステップＳ８５において、次に撮影するクリップ名がビューファインダに表示される。
【００６５】
〔取材指示に基づいた収録の実行〕
取材指示ファイルが入力されているカムコーダによって収録を行うと、収録クリップに対して取材指示ファイルに基づくタイトルが自動的に付与される。
【００６６】
図１１におけるステップＳ９１において、カムコーダの記録開始操作がなされる。ステップＳ９２において、記録が開始される。ステップＳ９３において、クリップのタイトルが取材指示に基づく内容に決定される。
【００６７】
ステップＳ９４において、記録完了操作が行われる。ステップＳ９５において、記録クリップが確定され、ディスク上の取材指示ファイルに記録クリップとの関連情報が付加される。ステップＳ９６において、クリップ名の「３桁数値」の値がインクリメントされ、次に撮影するクリップ名が設定される。このとき、インクリメントした「３桁数値」の値でもって不揮発性メモリの内容が更新される。
【００６８】
〔クリップ名のルール〕
クリップ名の付与（命名）の方法としては、下記の３種類の方法が可能とされている。
１．標準名
大文字の「Ｃ」の後に４桁の数値（自動生成される）が付く形式である。例えば「Ｃ０００１」。
２．ユーザ設定のタイトルに基づく命名
カムコーダ本体のメニュー操作によりユーザが入力したタイトル。
３．取材指示データ内のタイトル情報に基づく命名
この方法は、この発明の一実施の形態の特徴とするものであり、この内容については、後で詳述する。
【００６９】
これらの３種類の方法の何れの方法を使用するかは、カムコーダ本体の操作パネルおよび液晶表示部を使用したメニュー設定によって選択される。メニュー設定によるクリップ名の付け方の方法の選択について図１２を参照して説明する。
【００７０】
ステップＳ１０１において、メニュー「AUTO FILE NAMING」における設定が設定値から調べられる。標準名を選択した場合の設定値が「Ｃ****」である。別メニュー項目で入力したタイトルに基づく命名を選択した場合の設定値が「title 」である。取材指示データ内のタイトル情報に基づく命名を選択した場合の設定値が「plan」である。但し、取材指示データそのものが存在しなかったり、データ中にタイトル情報が無い（または無効）場合は、クリップ名が標準名となる。
【００７１】
設定値が「Ｃ****」であると判定されると、ステップＳ１０２において、標準名によるクリップ名が付けられて処理が終了する。設定値が「title 」であると判定されると、ステップＳ１０３において、ユーザが入力したタイトルに基づく命名がなされて処理が終了する。
【００７２】
設定値が「plan」であると判定されると、ステップＳ１０４において、取材指示データの有無が判定される。取材指示データが有り、その中にタイトル情報が有る場合には、ステップＳ１０５において、取材指示データ内のタイトル情報に基づく命名がなされて処理が終了する。若し、ステップＳ１０４において、取材指示データが無いと判定される場合、並びに取材指示データが有るが、その中にタイトル情報が無い（または無効）場合には、ステップＳ１０２において、標準名によるクリップ名が付けられて処理終了する。
【００７３】
取材指示データ内のタイトル情報に基づく命名の内容の一例について、図１３に示す表を参照して説明する。クリップ名の形式は、「タイトル情報に基づくPrefix」＋「３桁の数値」とされる。「３桁の数値」は、００１から開始して新たなクリップが生成されるごとに数値が１ずつ増加する。
【００７４】
「Prefix」は、図１３に示すように、Title 要素およびus-ascii属性の内容によって決められる。Title 自体（Title 要素）は、多国の言語に対応しているが、英語表示しかできないシステムの存在を考慮して、英字のみの表記（us-ascii属性）が可能とされている。５３バイト以上を不採用とするのは、ファイルシステムで制限されるファイル名の文字数制限を超えてしまうためである。
【００７５】
〔取材指示データの内容の例〕
取材指示データの具体例について説明する。取材指示データの記述形式は、ＸＭＬを採用している。図１４に、放送局から送られてきた取材指示内容の一例を示す。最初の行（記述部分）６１には、ＸＭＬで記載されていること、並びに文字コードがＵＴＦ−８であることが記載されている。
【００７６】
次の記述部分６２には、「PlanningMetadata」で取材指示データの記述を行うことが示されている。「assignId」は、１件の取材指示ごとに一意に付けられるＩＤである。放送局内では、このＩＤによって、例えばタイトルが後で変更になっても同一の取材指示であることが識別可能とされている。「creationDate」および「lastUpdate」は、それぞれ生成、最終更新の日時を示す。
【００７７】
次の記述部分６３の「Properties」は、ここから取材指示の基本的な属性内容の記述を行うことが示す。その後の「update」および「modifiedBy」によって、いつ誰か最終更新した指示かが分かる。
【００７８】
次の記述部分６４は、取材指示のタイトルである。この発明の一実施の形態において、収録クリップ名に反映させる元情報となる。この例では、「大相撲初場所」がタイトルの内容であり、「xml:lang="ja" 」によって日本語表記であることが示される。さらに、ASCII の文字以外の表示ができない機器等に対応するために、「usAscii=」によって英文字表記のタイトルが併記されている。この例では、「January Grand Sumo Tounament」の表記が使用されている。
【００７９】
次の記述部分６５においては、「Meta name=」によって、取材指示に含めたい項目名が定義され、その内容が記載される。この例では、カメラオペレータの名前、プロデューサーの名前、レポーターの名前、場所、収録日時、オフィス、アポ日時が記載されている。
【００８０】
最後の記述部分６６では、「Description 」において、任意のテキスト記述（コメント）が記載可能とされている。この例では、取材に伴い行うべきことの指示が記載されている。すなわち、「１９時までに局にプロキシＡＶデータを送信すること」が記載されている。
【００８１】
図１４に示す取材指示に基づいて実際に収録を行った場合の取材指示データの内容を図１５に示す。すなわち、取材指示に基づいて収録を行うと、実際に収録されたクリップを対応付ける情報が追記される。図１５において、図１４と対応する部分に対しては同一の参照符号を付す。
【００８２】
図１５の中で、「MaterialGroup 」以下が追記された記載である。収録されたクリップのＵＭＩＤが記載される。ＵＭＩＤは、SMPTE(Society Of Motion Picture and Television Engineers)330M として国際標準化されたＡＶ(Audio Visual)素材等をグローバルユニークに特定するための識別子である。このＵＭＩＤによって、ディスクに収録されたどのクリップがこの取材指示に基づくものかが認識できる。
【００８３】
ＵＭＩＤを使うことによって、クリップタイトルが後で変更されても、対応付け情報が損なわれない。一方、機器のユーザがこのＵＭＩＤを直接見て対応付けを認識することは困難であり、上述したように、取材指示のタイトルをクリップに反映させることによって、分かり易くなる利点がある。
【００８４】
図１５において、記述部分６７ａが最初に収録したクリップのＵＭＩＤであり、次の記述部分６７ｂが２番目に収録したクリップのＵＭＩＤであり、さらに次の記述部分６７ｃが３番目に収録したクリップのＵＭＩＤである。取材指示ファイル中にクリップのタイトルが記述されないが、図１５の例では、収録クリップのタイトルが次のようになる。
【００８５】
最初に収録したクリップのタイトルは、「大相撲初場所 ００１」となる。
２番目に収録したクリップのタイトルは、「大相撲初場所 ００２」となる。
３番目に収録したクリップのタイトルは、「大相撲初場所 ００３」となる。
【００８６】
この発明は、上述の実施の形態に限定されるものではなく、この発明の技術的思想に基づく各種の変形が可能である。例えばディスク以外に半導体メモリ（カード状、カードリッジに収納された半導体）を記録メディアとして使用しても良い。また、取材指示ファイルの形式は、撮像装置が理解できるものであれば良く、ＸＭＬ以外の形式であっても良い。
【図面の簡単な説明】
【００８７】
【図１】取材指示データをカムコーダに入力する複数の方法を説明するための略線図である。
【図２】この発明の一実施の形態におけるカムコーダのブロック図である。
【図３】この発明の一実施の形態において取材指示データを無線ＬＡＮによってカムコーダに入力するための方法を説明するためのフローチャートである。
【図４】入力された取材指示データ内のクリップ名の表示例を示す略線図である。
【図５】この発明の一実施の形態において取材指示データをＵＳＢメモリ経由でカムコーダに入力するための方法を説明するためのフローチャートである。
【図６】この発明の一実施の形態において取材指示データをディスク経由でカムコーダに入力するための方法を説明するためのフローチャートである。
【図７】この発明の一実施の形態において入力された取材指示内容を確認する場合の処理を示すフローチャートである。
【図８】液晶表示部に表示される取材指示内容の一例を示す略線図である。
【図９】不揮発性メモリから電源投入時の取材指示内容を自動的にロードする場合の処理を示すフローチャートである。
【図１０】ディスクから電源投入時の取材指示内容を自動的にロードする場合の処理を示すフローチャートである。
【図１１】この発明の一実施の形態において取材指示に基づいた収録を実施する場合の処理を示すフローチャートである。
【図１２】この発明の一実施の形態において、メニュー設定によりクリップ名の付け方を選択する場合の処理を示すフローチャートである。
【図１３】取材指示データ内のタイトル情報に基づく命名のルールを説明するための略線図である。
【図１４】取材指示データの一例を示す略線図である。
【図１５】取材指示に基づいて収録を行った後の取材指示データの内容を示す略線図である。
【符号の説明】
【００８８】
１・・・カメラブロック
２・・・信号処理部
３・・・ビューファインダ
４・・・ディスクドライブ
５・・・制御部
６・・・ＣＰＵ
９・・・不揮発性メモリ
１０・・・操作パネルおよび液晶表示部
１１・・・ＵＳＢインターフェース
１２・・・無線ＬＡＮインターフェース
１０１・・・放送局
１０２・・・カムコーダ
１０４・・・スマートフォン
１０５・・・ＵＳＢメモリ
１０６・・・ディスク
【図１】
0004650516.tif 000002
【図２】
0004650516.tif 000003
【図３】
0004650516.tif 000004
【図４】
0004650516.tif 000005
【図５】
0004650516.tif 000006
【図６】
0004650516.tif 000007
【図７】
0004650516.tif 000008
【図８】
0004650516.tif 000009
【図９】
0004650516.tif 000010
【図１０】
0004650516.tif 000011
【図１１】
0004650516.tif 000012
【図１２】
0004650516.tif 000013
【図１３】
0004650516.tif 000014
【図１４】
0004650516.tif 000015
【図１５】
0004650516.tif 000016